(57)【特許請求の範囲】
【請求項１】
前後左右に配設された４本の支柱のうち、前後１対の支柱に設けられ、前後方向を向く左右１対のブラケットに、棚板の左右両端を支持させてなる組立式棚において、
前記棚板の左右両端に設けられたブラケット係合片を、前記ブラケットに形成された前記前後１対の支柱の前後に延出する受け止め片で受け止め、かつ、前記受け止め片の先端に設けた上向き片を、前記棚板の下面前後に離間して設けた左右方向を向く前後１対の補強杆の間に挿入して、前記棚板の前後方向の位置を規制するとともに、前後１対の支柱の前後方向の外側の面にカバーを設け、前記受け止め片の前後両端部に、前記カバーを抱え込むように、左右方向の外側に突出する突片を設けたことを特徴とする組立式棚の棚板支持構造。
【請求項２】
ブラケット係合片と前記受け止め片とに設けた貫通孔に棚板浮き上り防止手段を挿入して、前記棚板の浮上りを防止してなる請求項１記載の組立式棚の棚板支持構造。
【発明の詳細な説明】
【０００１】
【発明の属する技術分野】
本発明は、図書館、事務所等で使用される組立式棚の棚板支持構造に関する。
【０００２】
【従来の技術】
組立式棚の棚板支持構造の代表的な一例として実公昭４７−１１８０４号公報に記載されているものがある。図５に示すように、この棚板の支持構造は、内向鉤片(31a)を有する係止金具(31)をもって、不図示の前後１対の支柱に設けられたブラケット(30)と、このブラケット(30)に支持された棚板(32)とを保持して、ブラケット(30)から棚板(32)が外れないようにしている。
【０００３】
【発明が解決しようとする課題】
上記した従来の組立式棚の棚板支持構造は、内向鉤片(31a)の弾力により、ブラケット(30)と棚板(32)を保持する構成になっているため、組立が困難であるとともに、係止金具(31)の一部分が外部に露出するという問題を有している。
【０００４】
本発明は、上記の問題点に鑑みてなされたもので、ブラケットに対する棚板の取付けが容易であるとともに、ブラケットに棚板が確実に取付けられ、さらに、棚板を支柱より前後方向に突出させて、支柱に支持できる組立式棚の棚板支持構造を提供することを目的としている。
【０００５】
【課題を解決するための手段】
本発明によると、上記課題は、次のようにして解決される。
(１)  前後左右に配設された４本の支柱のうち、前後１対の支柱に設けられ、前後方向を向く左右１対のブラケットに、棚板の左右両端を支持させてなる組立式棚において、
前記棚板の左右両端に設けられたブラケット係合片を、前記ブラケットに形成された前記前後１対の支柱の前後に延出する受け止め片で受け止め、かつ、前記受け止め片の先端に設けた上向き片を、前記棚板の下面前後に離間して設けた左右方向を向く前後１対の補強杆の間に挿入して、前記棚板の前後方向の位置を規制するとともに、前後１対の支柱の前後方向の外側の面にカバーを設け、前記受け止め片の前後両端部に、前記カバーを抱え込むように、左右方向の外側に突出する突片を設ける。
【０００６】
(２)  上記(１)項において、ブラケット係合片と前記受け止め片とに設けた貫通孔に棚板浮き上り防止手段を挿入して、前記棚板の浮上りを防止している。
【０００７】
【発明の実施の形態】
以下、本発明の実施の形態を、図１〜図４に基づいて説明する。
【０００８】
組立式棚(１)は、左右１対の側枠(２)(２)と、この側枠(２)を連結する前後１対の中間部桟(３)及び下部桟(４)と、側枠(２)に取付けられたブラケット(５)と、このブラケット(５)に支持された棚板(６)とを備えている。
【０００９】
側枠(２)は、前後１対の支柱(７)の対向面(7a)同士を、前後方向を向く鋼製のパイプあるいは角材の連結杆(８)を溶接することによって接続して形成された梯子状枠(９)と、この梯子状枠(９)の上下端(9a)(9b)に設けられ、梯子状枠(９)の前後に突出する上下１対の面板(10)(10)と、梯子状枠(９)の前後の外側面(9c)(9d)に着脱可能に設けられ、上下１対の面板(10)の前後突出端部間に装着される前後１対のカバー(11)(11)とを備えている。
【００１０】
図２に示すように、支柱(７)は、断面チャンネル状をなし、その少なくとも上部と下部の内部に、カバー(11)を取付けるための台座(12)が設けられている。
支柱(７)の対向面(7a)には、後述する中間部桟(３)と下部桟(４)とが係合する被係合孔(13)と、Ｌ字状に屈曲して鍔(14)を有する図３に示す抜止ピン(15)が貫通する貫通孔(16)とが穿設されている。支柱(７)の左右側面(7b)(7c)には、台座(５)が係合する被係合孔(17)が穿設されている。
【００１１】
カバー(11)は、アルミニウムの押し出し、または薄い鋼板を折り曲げて断面台形の筒状に形成され、前後に貫通する取付けねじ(18)を台座(12)のねじ孔にねじ込んで支柱(７)に取付けられている。
【００１２】
図３に示すように、下部桟(４)は、断面逆Ｌ字状に屈曲され、その水平片(4a)の先端に、Ｌ字状に屈曲する底板支持片(4b)を連設した長尺の部材である。下部桟(４)の左右両端には、底板支持片(4b)の反対側に突出する上下１対の下向きのフック片(19)が、切り起こしによって突設されている。上下１対のフック片(19)の中間位置には、上記抜止ピン(15)が貫通する貫通孔(20)が穿設されている。
【００１３】
下部桟(４)は、フック片(19)を支柱(７)の下部に設けた上下１対の被係合孔(13)に係合させ、かつ、下部桟(４)の貫通孔(20)と支柱(７)の貫通孔(16)とに抜止ピン(15)を挿入することによって、左右１対の側枠(２)の下部同士を連結するようになっている。抜止ピン(15)は、下部桟(４)の脱落防止のために設けられている。
側枠(２)を接続する前後１対の下部桟(４)間には、底板(21)が落とし込まれ、その底板(21)は互いに対向する底板支持片(4b)によって支持されている。
【００１４】
中間部桟(３)は、チャンネル材の下向き片(3a)と、チャンネル材の下向き片(3a)の先端に水平に屈曲形成された水平突片(3b)とを備えている。中間部桟(３)の左右両端は、逆Ｌ字状に形成されている。その左右両端には、水平突片(3b)とは反対側に突出する下向きのフック片(22)が切り起こしによって上下１対突設されている。上下１対のフック片(22)の中間位置には、上記抜止ピン(15)が貫通する貫通孔(23)が穿設されている。
【００１５】
この中間部桟(３)は、フック片(22)を支柱(７)の中間部に穿設された上下１対の被係合孔(13)に係合させ、かつ、中間部桟(３)の貫通孔(23)と支柱(７)の貫通孔(16)とに抜止ピン(15)を挿入することによって、支柱(７)から離脱しないように左右１対の側枠(２)の中間部同士を連結している。
【００１６】
中間部桟(３)は、左右１対の側枠(２)の上部同士を連結する上部桟としても使用することができる。
中間部桟(３)の水平突片(3b)は、中間部桟(３)を上部桟として使用したとき、前後１対の中間部桟間に落とし込まれた不図示の天板を受け止めるために形成されている。
なお、中間部桟(３)を上部桟として使用したとき、後述する棚板(６)で覆ってもよい。
【００１７】
図３に示すように、ブラケット(５)は、断面内向Ｌ字状に屈曲されて、垂直片(5a)と受け止め片(5b)とを備えている。垂直片(5a)の両端には、受け止め片(5b)とは反対側に突出する下向きのフック片(24)が上下１対形成されている。受け止め片(5b)の中間部には、上方に折り曲げて形成された上向き片(5c)が形成されている。
【００１８】
また、受け止め片(5b)の前後両端には、カバー(11)を抱え込むように左右方向の外側に三角形状に突出する突片(5d)が形成されている。突片(5d)の長さは、前後１対の支柱(７)より前後に延出して棚板(６)の左右端部の下部前後幅とほぼ同一に設定され、受け止め片(5b)は棚板(６)を安定して支持するようになっている。
【００１９】
図１に示すように、棚板(６)の前後幅は、側枠(２)の前後幅より大としてある。
図４に示すように、棚板(６)の左右両端には、断面Ｌ字状に折曲され、さらに、その下片の先端を上方に折り曲げて形成された断面Ｕ字状のブラケット係合片(6a)が設けられている。
ブラケット係合片(6a)は、棚板(６)をブラケット(５)によって支持する部分である。
【００２０】
棚板(６)の下面には、前後１対の補強杆(25)(25)が左右に亘って設けられている。この補強杆(25)の間には、ブラケット(５)の上向き片(5c)が介在し、上向き片(5c)によって、棚板(６)の前後方向の位置決めがなされている。前後の補強杆(25)の間に、補助杆(26)が設けられている。この補助杆(26)の左右方向の長さは、ブラケット(５)の上向き片(5c)と干渉しない長さに設定されている。
【００２１】
ブラケット(５)は、そのフック片(24)を、支柱(７)の被係合孔(17)に係合することによって、支柱(７)に取付けられる。
【００２２】
棚板(６)は、図４に示すように、ブラケット(５)の垂直片(5a)と上向き片(5c)との間にブラケット係合片(6a)を挿入し、ブラケット(５)の受け止め片(5b)でブラケット係合片(6a)を受け止め、ブラケット係合片(6a)、受け止め片(5b)にそれぞれ穿設された貫通孔(27)(28)に係合ピン(29)を挿入して係合させることによって、ブラケット(５)に一体的に取付けられるようになっている。
【００２３】
係合ピン(29)は、樹脂成形品であり、円筒状体の先端に載頭円錐状の弾性変形可能な拡径部(29a)が形成され、尾端に鍔(30)が形成されている。拡径部(29a)には、等間隔に４つの切り込み(29b)が形成されている。
【００２４】
係合ピン(29)は、拡径部(29a)を切り込み(29b)によって生じる弾性力により窄めて、ブラケット(５)と棚板(６)との貫通孔(27)(28)に挿入した後、拡径部(29a)を広げることによって、拡径部(29a)と鍔(30)とで、ブラケット(５)から棚板(６)が外れないようにしている。
【００２５】
【発明の効果】
請求項１記載の発明によれば、受け止め片の先端の上向き片を前後１対の補強杆の間に挿入して、棚板の前後方向の位置規制をしているので、前後１対の支柱の前後から棚板が突出していても、棚板の前後の位置規制を確実にすることができる。
また、ブラケットが、前後１対の支柱の前後に延出しているので、前後１対の支柱から前後に突出している棚板を確実に支持することができる。
【００２６】
請求項２の発明によれば、棚板浮上り防止手段によって、ブラケットに棚板を浮上らないように連結しているので、棚板の取付けが確実になり、かつ、棚板浮上り防止手段が外部から見えにくく、棚の美観を損なうことがない。
【図面の簡単な説明】
【図１】  本発明の実施形態の棚板支持構造を備える組立式棚の斜視図である。
【図２】  側枠の分解斜視図である。
【図３】  棚板、ブラケット、中間部用桟、及び下部用桟の斜視図である。
【図４】  分離した状態における棚板の左端部とブラケットの縦断正面図である。
【図５】  従来の組立式棚の棚板支持構造の斜視図である。
【符号の説明】
(１)組立式棚
(２)側枠
(３)中間部桟
(3a)下向き片
(3b)水平突片
(４)下部桟
(4a)水平片
(4b)底板支持片
(５)ブラケット
(5a)垂直片
(5b)受け止め片
(5c)上向き片
(5d)突片
(６)棚板
(6a)ブラケット係合片
(７)支柱
(7a)対向面
(7b)左側面
(7c)右側面
(８)連結杆
(９)梯子状枠
(9a)上端
(9b)下端
(9c)前面
(9d)後面
(10)面板
(11)カバー
(12)台座
(13)被係合孔
(14)鍔
(15)抜止ピン
(16)貫通孔
(17)被係合孔
(18)取付けねじ
(19)フック片
(20)貫通孔
(21)底板
(22)フック片
(23)貫通孔
(24)フック片
(25)補強杆
(26)補強杆
(27)貫通孔
(28)貫通孔
(29)係合ピン(棚板浮上り防止手段)
(29a)拡径部
(29b)切り込み
(30)鍔
【図１】
0003640055.tif 000002
【図２】
0003640055.tif 000003
【図３】
0003640055.tif 000004
【図４】
0003640055.tif 000005
【図５】
0003640055.tif 000006